(57)【要約】    【課題】  回転操作される複数枚の羽根を有するバリア羽根によってレンズ系の前方を開閉するとともに簡単な構成で羽根の傾斜を抑制し、羽根段差や作動障害の発生を防止する。    【解決手段】  バリアカバー１１から突出して設けられる回転軸２１は、外径の異なる３段の段差を有する。回転軸２１の最大外径の部位には、物体側に配置された各２つの羽根１４および１５が作動する回転軸部となっており、回転軸２１の２番目に大きな外径を有する中外径の部位には、合わせバリア羽根である羽根１３のみが回転する回転軸部となっている。回転軸２１の先端部には中外径よりも小径の最小外径の部位が形成されている。バリア基板１２には、上記最小外径の部位を挿入し得る凹部が形成されており、回転軸２１に最小外径と中外径の径の相違により形成される段差部の平面部がバリア基板１２に当接してバリアカバー１１とバリア基板１２の相互間距離を決定する。【選択図】    図６
2014016566.tif 000002
【特許請求の範囲】
【請求項１】
１枚以上のレンズからなるレンズ系の前面側に配置され、非撮影時には、前記レンズ系の前面を閉じ、当該レンズ系の前面側を覆って当該レンズ系を保護し、撮影時には、前記レンズの前面を開放し、当該レンズ系の光路外に退避して入射光路を形成するバリア羽根と、
前記バリア羽根を回転動作によって開閉すべく、当該バリア羽根を回転自在に保持する回転軸と、
前記レンズ系の前面側光路外の前記バリア羽根の背後側に配置されるバリア基板と
前記レンズ系への入射光束を導入するための開口部を有し、前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことを特徴とするレンズバリア装置。
【請求項２】
前記回転軸は、先端部に小径の基準軸を形成し、前記バリアカバーおよび前記バリア基板のいずれか一方に前記基準軸に対応する係合孔を形成してなり、
前記回転軸の前記基準軸を前記バリアカバーおよび前記バリア基板の一方の前記係合孔に挿入係止して、前記回転軸の前記基準軸側の該回転軸が垂直に交わる平面が前記バリアカバーおよび前記バリア基板のいずれか一方に当接することによって、前記合わせバリア羽根が作動する空間を規定することを特徴とする請求項１に記載のレンズバリア装置。
【請求項３】
前記回転軸は、前記バリアカバーに突設されて一体的に形成されたことを特徴とする請求項１または請求項２に記載のレンズバリア装置。
【請求項４】
前記回転軸は、前記バリア基板に突設されて一体的に形成されたことを特徴とすることを特徴とする請求項１または請求項２に記載のレンズバリア装置。
【請求項５】
請求項１〜請求項４のいずれか１項のレンズバリア装置を備えてなることを特徴とするレンズ鏡胴。
【請求項６】
１枚以上のレンズからなるレンズ系と、
前記レンズ系の前面側に配置され、非撮影時には、前記レンズ系の前面を閉じ、当該レンズ系の前面側を覆って当該レンズ系を保護し、撮影時には、前記レンズの前面を開放し、当該レンズ系の光路外に退避して入射光路を形成するバリア羽根と、
前記バリア羽根を回転動作によって開閉すべく、当該バリア羽根を回転自在に保持する回転軸と、
前記レンズ系の前面側光路外の前記バリア羽根の背後側に配置されるバリア基板と
前記レンズ系への入射光束を導入するための開口部を有し、前記バリア羽根の前面側に配置されて、前記バリア基板との間に前記バリア羽根が作動する空間を形成するバリアカバーと、
前記レンズ系を収容して該レンズ系の周囲を覆うレンズ鏡筒と、
前記バリア羽根を作動させるバリア駆動系と
を具備するレンズ鏡胴であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことを特徴とするレンズ鏡胴。
【請求項７】
前記回転軸は、先端部に小径の基準軸を形成し、前記バリアカバーおよび前記バリア基板のいずれか一方に前記基準軸に対応する係合孔を形成してなり、
前記回転軸の前記基準軸を前記バリアカバーおよび前記バリア基板の一方の前記係合孔に挿入係止して、前記回転軸の前記基準軸側の該回転軸が垂直に交わる平面が前記バリアカバーおよび前記バリア基板のいずれか一方に当接することによって、前記合わせバリア羽根が作動する空間を規定することを特徴とする請求項６に記載のレンズ鏡胴。
【請求項８】
前記回転軸は、前記バリアカバーに突設されて一体的に形成されたことを特徴とする請求項６または請求項７に記載のレンズ鏡胴。
【請求項９】
前記回転軸は、前記バリア基板に突設されて一体的に形成されたことを特徴とする請求項６または請求項７に記載のレンズ鏡胴。
【請求項１０】
請求項５〜請求項９のいずれか１項のレンズ鏡胴を備えてなることを特徴とする撮像装置。
【発明の詳細な説明】
【技術分野】
【０００１】
本発明は、固体撮像素子等の撮像素子によって得た画像情報を記録媒体に記録する、いわゆるデジタルカメラ等の撮像装置に係り、特に、撮像レンズ等のレンズ系の前面側を開閉保護するためのレンズバリア装置、そのようなレンズバリア装置を備えるレンズ鏡胴およびそのようなレンズ鏡胴を備える撮像装置に関するものである。
【背景技術】
【０００２】
近年、いわゆるデジタルカメラ等の撮像装置においては、小型化が強く要望されており、撮像装置を構成する各ユニットをより一層薄型化する技術を開発することが必要となっている。特に、収納時に撮像レンズの前面を覆って保護する機能を持つレンズバリアユニット、すなわちレンズバリア装置については、効果的に小径化および薄型化することがさらに望まれている。
レンズバリア装置は、収納時等の非撮影状態において、レンズ鏡胴の前部に配置されるバリアカバーの開口部を閉じてレンズの前面を保護するために、例えば、開口部に２方向から回転進入してそれぞれの端面を突き合わせることによってレンズ前面を覆い入射口となる開口部を閉じるバリア羽根を有している。この種のレンズバリア装置は、開口部径に対比して小径化を実現するために、それぞれの方向から進入するバリア羽根を各々複数枚の羽根で構成しており、非撮影時には各羽根の光軸方向についての重なり合い、つまりオーバーラップ、が最小限となるようにバリア羽根を広げ、撮影時には開口部外、つまり光路外、に退避させ、各羽根を光軸方向について重ね合わせるようにして、バリア羽根を、開口部の外側、つまり光路の外周部になるべく狭い範囲に配置できるように構成している。
【０００３】
ここで、バリア羽根は、レンズ鏡胴の先端部のレンズの前方に位置して、開口部を有し、外部に露出して外観の一部を構成する外観部品であるバリアカバーと、レンズ鏡胴の先端部のレンズ近傍に配置されるバリア基板との間に配置される。このバリア基板およびバリカバーの少なくとも一方に支持されてバリア羽根を作動させるためのバリア駆動機構等のバリア駆動系が設けられる。すなわち、バリア基板とバリアカバーの間に、バリア羽根の各羽根を保持する２つの回転軸を備えており、バリア羽根を、これらの回転軸を軸として回転自在に支持して、バリア駆動系により開閉することができるようにしている。
このようなレンズバリア装置としては、例えば、特許文献１（特開２００７−１０２０８６号）、特許文献２（特開２０１１−１５８７３５号）および特許文献３（特開２０１２−４２６８３号）等に示された構成が知られている。
従来よりレンズバリア装置の厚さを極力抑えるために、バリア羽根の各羽根を金属板にて構成するなどの工夫がされており、さらには、特許文献１にも開示されているように、撮影時にバリア羽根が光路外に退避したときに光軸方向に３枚の羽根が重なり合う６枚バリアと呼ばれる構成を有するレンズバリア装置が知られている。
【０００４】
このように片側に３枚ずつ重なり合う羽根を有するバリア羽根は、バリア基板とバリアカバーによりこれらの間に形成される作動空間に対して、部品のばらつきを考えて、遊びのための隙間を確保する必要がある。この隙間が大きいと、バリア羽根の各羽根はその隙間分傾斜する可能性が生じてしまい、各羽根が相互に重なり合うときに、各羽根の端部において光軸方向の大きなずれが発生する。この光軸方向のずれにより非撮影時における各羽根の相互の重なり合い部分に羽根段差が生じてしまって、外観を損ない見栄えがしない。さらにずれが大きいと、傾いた羽根の先端が対向する羽根の根元に入り込み、楔を打つような形となって、作動に支障をきたし、バリアカバーの開口部をきちんと閉じることができなくなるおそれがあり、改良の余地がある。
また、例えば特許文献２には、バリア羽根の各羽根の回転軸が通る孔の径を異ならせて、回転軸に支持されて羽根を回転方向に付勢するトーションスプリングが、羽根と軸との間に挟み込まれて羽根の動作に支障をきたすことがないようにすることが開示されている。
しかしながら、これでは上述したバリア羽根の羽根の傾きにより、段差が発生したり、羽根の先端が対向する羽根の根元に入り込み、作動を阻害したりすることを、効果的に抑制することはできず、依然として改良の余地がある。
さらに、例えば、特許文献３においては、バリア羽根を構成する羽根にフックを設けて、羽根同士の隙間が広がるのを防ぐことが開示されている。この特許文献３の場合にも、羽根段差が抑制されるわけではないので、上述した羽根の傾斜等に充分な効果があるとはいえない。
【発明の概要】
【発明が解決しようとする課題】
【０００５】
上述したように、特許文献１に開示された片側に３枚ずつ重なり合う羽根を有するバリア羽根においては、バリア基板とバリアカバーによりこれらの間に形成される作動空間に対して、遊びのための隙間を確保する必要があるが、この隙間が大きいと、光軸方向のずれにより非撮影時における各羽根の相互の重なり合い部分に羽根段差が生じて、外観を損なう。さらにこのずれが大きいと、傾いた羽根により作動に支障をきたし、入射口となるバリアカバーの開口部をきちんと閉じることができなくなるおそれがある。
また、特許文献２に開示されたように、バリア羽根の各羽根の回転軸が通る孔の径を異ならせて、トーションスプリングが、羽根と軸との間に挟み込まれないようにしても、バリア羽根の羽根の傾きにより、段差が発生したり、羽根の作動を阻害したりすることを、効果的に抑制することはできない。
さらに、例えば、特許文献３に開示された羽根にフックを設けて、羽根同士の隙間が広がるのを防ぐ構成としても、羽根段差が抑制されるわけではなく、羽根の傾斜等を効果的に防止することはできない。
上述したように、特許文献１、特許文献２および特許文献３等に示された構成においても、バリア羽根の各羽根の傾きを低減し、羽根段差を抑制して作動不良を防止することはできず、依然として改良の余地が残されている。
本発明は、上述した事情に鑑みてなされたもので、回転操作される複数枚の羽根を有するバリア羽根によってレンズ系の前方を開閉するとともに簡単な構成で羽根の傾斜を抑制し、羽根段差や作動障害の発生を効果的に防止し得るレンズバリア装置、そのようなレンズバリア装置を備えるレンズ鏡胴およびそのようなレンズ鏡胴を備える撮像装置を提供することを目的としている。
【課題を解決するための手段】
【０００６】
本発明に係るレンズバリア装置は、上述した目的を達成するために、
１枚以上のレンズからなるレンズ系の前面側に配置され、非撮影時には、前記レンズ系の前面を閉じ、当該レンズ系の前面側を覆って当該レンズ系を保護し、撮影時には、前記レンズの前面を開放し、当該レンズ系の光路外に退避して入射光路を形成するバリア羽根と、
前記バリア羽根を回転動作によって開閉すべく、当該バリア羽根を回転自在に保持する回転軸と、
前記レンズ系の前面側光路外の前記バリア羽根の背後側に配置されるバリア基板と
前記レンズ系への入射光束を導入するための開口部を有し、前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成とすることを特徴としている。
【発明の効果】
【０００７】
本発明によれば、回転操作される複数枚の羽根を有するバリア羽根によってレンズ系の前方を開閉するとともに簡単な構成で羽根の傾斜を抑制し、羽根段差や作動障害の発生を効果的に防止し得るレンズバリア装置、そのようなレンズバリア装置を備えるレンズ鏡胴およびそのようなレンズ鏡胴を備える撮像装置を提供することができる。
【０００８】
すなわち本発明に係るレンズバリア装置によれば、
１枚以上のレンズからなるレンズ系の前面側に配置され、非撮影時には、前記レンズ系の前面を閉じ、当該レンズ系の前面側を覆って当該レンズ系を保護し、撮影時には、前記レンズの前面を開放し、当該レンズ系の光路外に退避して入射光路を形成するバリア羽根と、
前記バリア羽根を回転動作によって開閉すべく、当該バリア羽根を回転自在に保持する回転軸と、
前記レンズ系の前面側光路外の前記バリア羽根の背後側に配置されるバリア基板と
前記レンズ系への入射光束を導入するための開口部を有し、前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成とすることにより、
バリア羽根の羽根の作動空間を最小隙間で構成することができ、羽根の傾斜を効果的に抑制して、羽根段差や作動障害の発生を効果的に防止することが可能となる。
【図面の簡単な説明】
【０００９】
【図１】本発明の一つの実施の形態に係るレンズバリア装置の要部の非撮影時のバリア羽根を閉じた状態を示すレンズ側から見た斜視図である。
【図２】図１のレンズバリア装置の要部の撮影時のバリア羽根が開いた状態を示すレンズ側から見た斜視図である。
【図３】図１のレンズバリア装置の要部の非撮影時のバリア羽根が閉じた状態を示す物体側から見た正面図である。
【図４】図３のレンズバリア装置からバリアカバーを除外して、要部の非撮影時のバリア羽根が閉じた状態を物体側から見た正面図である。
【図５】図３のレンズバリア装置からバリア基板を除外して、要部の非撮影時のバリア羽根が閉じた状態を示すレンズ側から見た背面図である。
【図６】図１〜図５のレンズバリア装置における回転軸およびその周辺の部分の構成を示す模式的な断面図である。
【図７】従来のレンズバリア装置における回転軸およびその周辺の部分の構成を示す模式的な断面図である。
【発明を実施するための形態】
【００１０】
以下、本発明に係る実施の形態に基づき、図面を参照して本発明のレンズバリア装置を詳細に説明する。
先ず、本発明の実施の形態を説明する前に本実施の形態の特徴的なところを説明する。
本実施の形態に係るレンズバリア装置の特徴は、
１枚以上のレンズからなるレンズ系の前面側に配置され、非撮影時には、前記レンズ系の前面を閉じ、当該レンズ系の前面側を覆って当該レンズ系を保護し、撮影時には、前記レンズの前面を開放し、当該レンズ系の光路外に退避して入射光路を形成するバリア羽根と、
前記バリア羽根を回転動作によって開閉すべく、当該バリア羽根を回転自在に保持する回転軸と、
前記レンズ系の前面側光路外の前記バリア羽根の背後側に配置されるバリア基板と
前記レンズ系への入射光束を導入するための開口部を有し、前記バリア羽根の前面側に配置されて、前記バリア基板との間に前記バリア羽根が作動する空間を形成するバリアカバーと、
前記バリア羽根を作動させるバリア駆動系と
を具備するレンズバリア装置であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことにある（請求項１に対応する）。
【００１１】
また、本実施の形態に係るレンズバリア装置の他の特徴は、前記回転軸は、先端部に小径の基準軸を形成し、前記バリアカバーおよび前記バリア基板のいずれか一方に前記基準軸に対応する係合孔を形成してなり、
前記回転軸の前記基準軸を前記バリアカバーおよび前記バリア基板の一方の前記係合孔に挿入係止して、前記回転軸の前記基準軸側の該回転軸が垂直に交わる平面が前記バリアカバーおよび前記バリア基板のいずれか一方に当接することによって、前記合わせバリア羽根が作動する空間を規定することにある（請求項２に対応する）。
また、本実施の形態に係るレンズバリア装置のさらなる特徴は、前記回転軸が、前記バリアカバーに突設されて一体的に形成されたことにある（請求項３に対応する）。
また、本実施の形態に係るレンズバリア装置のさらなる特徴は、前記回転軸が、前記バリア基板に突設されて一体的に形成されたことにある（請求項４に対応する）。
また、本発明の他の実施の形態に係るレンズ鏡胴の特徴は、上記のようなレンズバリア装置を備えてなることにある（請求項５に対応する）。
【００１２】
さらに、本発明の他の実施の形態に係るレンズ鏡胴の特徴は、１枚以上のレンズからなるレンズ系と、
前記レンズ系の前面側に配置され、非撮影時には、前記レンズ系の前面を閉じ、当該レンズ系の前面側を覆って当該レンズ系を保護し、撮影時には、前記レンズの前面を開放し、当該レンズ系の光路外に退避して入射光路を形成するバリア羽根と、
前記バリア羽根を回転動作によって開閉すべく、当該バリア羽根を回転自在に保持する回転軸と、
前記レンズ系の前面側光路外の前記バリア羽根の背後側に配置されるバリア基板と
前記レンズ系への入射光束を導入するための開口部を有し、前記バリア羽根の前面側に配置されて、前記バリア基板との間に前記バリア羽根が作動する空間を形成するバリアカバーと、
前記レンズ系を収容して該レンズ系の周囲を覆うレンズ鏡筒と、
前記バリア羽根を作動させるバリア駆動系と
を具備するレンズ鏡胴であって、
前記バリア羽根は、複数枚の羽根を有して構成され、
撮影時には、各羽根が光軸方向に複数枚重なり合って光路外に退避し、非撮影時には、前記バリア羽根に含まれる少なくとも２枚の羽根が光軸とは垂直な面上で前記回転軸を中心として回転して当該羽根の端面で接触する合わせバリア羽根を構成し、
前記回転軸は径が異なる部分を有する段付の軸であり、
前記合わせバリア羽根を構成する羽根は、前記回転軸の比較的小径の部分で回転作動し、当該小径の部分よりも大径の部分により形成される該回転軸が垂直に交わる平面と前記バリア基板および前記バリアカバーの少なくともいずれかの羽根作動側の面に挟まれて作動する構成としたことにある（請求項６に対応する）。
【００１３】
本発明の他の実施の形態に係るレンズ鏡胴の特徴は、前記回転軸は、先端部に小径の基準軸を形成し、前記バリアカバーおよび前記バリア基板のいずれか一方に前記基準軸に対応する係合孔を形成してなり、
前記回転軸の前記基準軸を前記バリアカバーおよび前記バリア基板の一方の前記係合孔に挿入係止して、前記回転軸の前記基準軸側の該回転軸が垂直に交わる平面が前記バリアカバーおよび前記バリア基板のいずれか一方に当接することによって、前記合わせバリア羽根が作動する空間を規定することにある（請求項７に対応する）。
また、本発明の他の実施の形態に係るレンズ鏡胴の特徴は、前記回転軸が、前記バリアカバーまたは前記バリア基板に突設されて一体的に形成されたことにある（請求項８または請求項９に対応する）。
また、本発明のさらに他の実施の形態に係る撮像装置の特徴は、上記したレンズ鏡胴を備えてなることにある（請求項１０に対応する）。
【００１４】
図１〜図６は、本発明の一つの実施の形態に係るレンズバリア装置の要部の構成を示している。図１は、本発明の一つの実施の形態に係るレンズバリア装置の要部の構成を示すレンズ側から見た斜視図であり、非撮影時のバリア羽根を閉じた状態を示している。図２は、図１のレンズバリア装置の要部の構成を示すレンズ側から見た斜視図であり、撮影時のバリア羽根が開いた状態を示している。図３は、図１のレンズバリア装置の要部の構成を示す物体側から見た正面図であり、非撮影時のバリア羽根が閉じた状態を示している。図４は、図３のレンズバリア装置の要部の構成を示す物体側から見た正面図であり、図３のレンズバリア装置からバリアカバーを除外して、非撮影時のバリア羽根が閉じた状態を示している。図５は、図３のレンズバリア装置の要部の構成を示すレンズ側から見た背面図であり、図３のレンズバリア装置からバリア基板を除外して、非撮影時のバリア羽根が閉じた状態を示している。そして図６は、図１〜図５のレンズバリア装置における回転軸およびその周辺の部分の構成を示す模式的な断面図である。
図１〜図６に示すレンズバリア装置は、バリアカバー１１、バリア基板１２、バリア羽根１３−１５（１３ａ−１５ａ，１３ｂ−１５ｂ）、閉トーションスプリング１６（１６ａ，１６ｂ）、開トーションスプリング１７（１７ａ，１７ｂ）、開閉レバー１８（１８ａ，１８ｂ）、駆動ピン１９（１９ａ，１９ｂ）、レバー支持軸２０（２０ａ，２０ｂ）および回転軸２１（２１ａ，２１ｂ）を具備している。
【００１５】
そして、バリア羽根１３−１５（１３ａ−１５ａ，１３ｂ−１５ｂ）は、３枚の羽根１３（１３ａ，１３ｂ），１４（１４ａ，１４ｂ），１５（１５ａ，１５ｂ）で構成される。すなわち、対をなすバリア羽根１３ａ−１５ａと１３ｂ−１５ｂは、それぞれ３枚の羽根１３ａ，１４ａ，１５ａと１３ｂ，１４ｂ，１５ｂで構成される。バリアカバー１１には、開口部１１ａが設けられている。なお、羽根１３（１３ａ，１３ｂ）は、合わせバリア羽根１３（１３ａ，１３ｂ）を構成する。
図１は、非撮影時におけるレンズバリア装置をレンズ側から見た様子を示しており、非撮影時であるので、バリア羽根１３−１５（１３ａ−１５ａ，１３ｂ−１５ｂ）が閉じている。バリア羽根１３−１５は、互いに対峙して対をなす第１のバリア羽根１３ａ−１５ａと第２のバリア羽根１３ｂ−１５ｂで構成されている。第１のバリア羽根１３ａ−１５ａは、３枚の羽根１３ａ、１４ａおよび１５ａからなり、第２のバリア羽根１３ｂ−１５ｂは、３枚の羽根１３ｂ、１４ｂおよび１５ｂからなっている。羽根１３ａと羽根１３ｂは、合わせバリア羽根１３を構成しており、互いに対応する端面を密接させている。第１のバリア羽根１３ａ−１５ａの３枚の羽根１３ａ、１４ａおよび１５ａは、一部が重なり合うようにして広がっており、第２のバリア羽根１３ｂ−１５ｂの３枚の羽根１３ｂ、１４ｂおよび１５ｂも一部が重なり合うようにして広がっていて、レンズへの入射口となるバリアカバー１１の開口部１１ａを閉じている。
【００１６】
図２は、撮影時における図１のレンズバリア装置をレンズ側から見た様子を示しており、バリア羽根１３−１５が開いた状態である。この状態では、第１のバリア羽根１３ａ−１５ａの３枚の羽根１３ａ、１４ａおよび１５ａは、互いに重なり合うようにしてバリアカバー１１の開口部１１ａとバリアカバー１１およびバリア基板１２の外周縁部との間に収容されており、第２のバリア羽根１３ｂ−１５ｂの３枚の羽根１３ｂ、１４ｂおよび１５ｂも互いに重なり合うようにしてバリアカバー１１の開口部１１ａとバリアカバー１１およびバリア基板１２の外周縁部との間に収容されていて、レンズへの入射口となるバリアカバー１１の開口部１１ａを開いている。
図３は、非撮影時における図１のレンズバリア装置を物体側から見た様子を示しており、バリア羽根１３−１５が閉じている。先に述べたように、バリア羽根１３−１５は、互いに対峙して対をなす第１のバリア羽根１３ａ−１５ａと第２のバリア羽根１３ｂ−１５ｂで構成されており、第１のバリア羽根１３ａ−１５ａは、３枚の羽根１３ａ、１４ａおよび１５ａからなり、第２のバリア羽根１３ｂ−１５ｂは、３枚の羽根１３ｂ、１４ｂおよび１５ｂからなっている。従って、バリア羽根１３−１５は、合計６枚の羽根１３ａ、１４ａおよび１５ａと１３ｂ、１４ｂおよび１５ｂで構成されている。
【００１７】
最もレンズ側（背面側）に配置されて合わせバリア羽根を構成する羽根１３ａと羽根１３ｂが、バリアカバー１１の開口部１１ａの中心近傍において、互いに対応する端面を密接させ、第１のバリア羽根１３ａ−１５ａの３枚の羽根１３ａ、１４ａおよび１５ａを、一部が重なり合うようにして拡げ、、第２のバリア羽根１３ｂ−１５ｂの３枚の羽根１３ｂ、１４ｂおよび１５ｂも一部が重なり合うようにして拡げて、レンズへの入射口となるバリアカバー１１の開口部１１ａを隙間なく閉じている。図４は、このような非撮影時において、バリアカバー１１を取り除いた状態で図３のレンズバリア装置を物体側から見た様子を示しており、図示上下各３枚ずつの羽根１３ａ、１４ａおよび１５ａと１３ｂ、１４ｂおよび１５ｂが必要最小限の重なり合いでレンズへの入射口となるバリアカバー１１の開口部１１ａを閉じている。
次に、レンズバリア装置の開閉動作についてさらに詳細に説明する。
レンズバリア装置は、バリア基板１２に支持された一対の開閉レバー１８ａおよび１８ｂを備え、これら開閉レバー１８ａおよび１８ｂには、明確には図示していない鏡胴ユニットから回転力が伝達される一対の駆動ピン１９ａおよび１９ｂがそれぞれ突設されている。開閉レバー１８ａおよび１８ｂは、バリア基板１２に圧入固定されたレバー支持軸２０ａおよび２０ｂにそれぞれ干渉しないように挟み込まれている。上述のように構成された開閉レバー１８ａおよび１８ｂは、鏡胴ユニットから回転力が伝達されると、それぞれレバー支持軸２０ａおよび２０ｂを回転支軸として回転動作する。
【００１８】
開閉レバー１８ａおよび１８ｂの各一端には、閉トーションスプリング１６によって付勢された羽根１３ａおよび１３ｂの係合部がそれぞれ係合しており、開閉レバー１８ａおよび１８ｂの回転によって、バリア羽根１３−１５が開口部内の光軸へ向かう方向に進入して光路を閉じ、または開口部内の光軸側から光路外に退避して光路を確保することが可能となり、選択的に、閉状態と開状態とをつくることができる。
バリア羽根１３−１５を構成する羽根１３ａ、１４ａおよび１５ａと、羽根１３ｂ、１４ｂおよび１５ｂとは、それぞれバリアカバー１１の背面に一体的に突設された回転軸２１ａと回転軸２１ｂに回転自在に保持されている。
尚、回転軸２１ａ、２１ｂ自体は、バリアカバー１１に植設され、固着されているものも含むため、回転を支持する軸、即ち、回転支軸という意味合いを持つ。
開閉レバー１８ａおよび１８ｂの各他端は、支持軸２２ａ、２２ｂによって支持された開トーションスプリング１７ａおよび１７ｂによってそれぞれ付勢されており、駆動ピン１９ａおよび１９ｂに鏡胴ユニットから回転力が伝達されていない場合には、開トーションスプリング１７ａおよび１７ｂの力で反時計回りに回転駆動され、所定の位置でバリア基板１２のストッパに係合して、その位置状態に保持される。この状態では、開閉レバー１８ａと１８ｂの回転力によってバリア羽根１３−１５の羽根１３ａ、１４ａおよび１５ａと、羽根１３ｂ、１４ｂおよび１５ｂとが、それぞれ退避方向へ回転操作されて、各片側３枚のバリア羽根１３−１５の羽根１３ａ、１４ａおよび１５ａと、羽根１３ｂ、１４ｂおよび１５ｂとが重なり合って光路外へ待避し、開状態となる。
【００１９】
尚、開トーションスプリング１７ａ、１７ｂの一端は、バリア基板１２に植設されたばね掛け１２ａ、１２ｂに掛止されている。
そして、上述とは逆に、鏡胴ユニットから駆動ピン１９ａと１９ｂに回転力が伝達されると、鏡胴の回転力が閉トーションスプリング１６の付勢力よりも大きいので、開閉レバー１８ａと１８ｂがそれぞれ時計回りに回転することによって、開閉レバー１８ａと１８ｂはバリア羽根１３ａと１３ｂに対する係合から外れ、バリア羽根１３−１５の羽根１３ａ、１４ａおよび１５ａと、羽根１３ｂ、１４ｂおよび１５ｂが、閉トーションスプリング１６の力によって駆動されてバリア羽根１３−１５の羽根１３ａ、１４ａおよび１５ａと、羽根１３ｂ、１４ｂおよび１５ｂとが開口部内の光軸へ向かう方向に回転進入し、最もレンズ側に位置する合わせバリア羽根１３ａと１３ｂが互いに対応する端面において密接することによって、バリア羽根１３−１５の羽根１３ａ、１４ａおよび１５ａと、羽根１３ｂ、１４ｂおよび１５ｂは閉状態となる。
このとき、バリア羽根１３−１５の羽根１３ａ、１４ａおよび１５ａと、羽根１３ｂ、１４ｂおよび１５ｂは、それぞれ、図５に示す回転軸２１ａと２１ｂを中心に回転作動している。また、バリア羽根１３−１５の各３枚の羽根１３ａ、１４ａおよび１５ａと、羽根１３ｂ、１４ｂおよび１５ｂは、バリアカバー１１とバリア基板１２とに挟まれた空間内で回転作動する。
【００２０】
ここで、図７に従来の回転軸２１′（２１ａ′および２１ｂ′）の断面を示す。従来は、回転軸２１′（２１ａ′および２１ｂ′）がバリアカバー１１に一体的に突設され、バリアカバー１１′側の受け面と、バリア基板１２′の作動面との間の空間にバリア羽根１３′−１５′の３枚の羽根１３′、１４′および１５′、すなわち第１のバリア羽根１３ａ′−１５ａ′を構成する３枚の羽根１３ａ′、１４ａ′および１５ａ′と、第２のバリア羽根１３ｂ′−１５ｂ′を構成する３枚の羽根１３ｂ′、１４ｂ′および１５ｂ′を挟みこんでいる。この空間は、回転軸２１ａ′と２１ｂ′の先端が、バリア基板１２′に当接係止されることによって、所定の深さよりも小さくならないようにしている。この空間の深さは、回転軸２１ａ′と２１ｂ′の高さ寸法、バリア基板１２′側の回転軸２１ａ′と２１ｂ′の受け面からバリア羽根１３′−１５′の羽根１３ａ′、１４ａ′および１５ａ′と、羽根１３ｂ′、１４ｂ′および１５ｂ′の作動面までの距離、バリア羽根１３′−１５′の各３枚の羽根１３ａ′、１４ａ′および１５ａ′と、羽根１３ｂ′、１４ｂ′および１５ｂ′の厚さ寸法等のそれぞれの部品のばらつきがあっても、確実に干渉しない幅を確保しなければならない。
【００２１】
そのため、少なからず遊びを持たせるための隙間を確保している。このような隙間は、バリア羽根１３′−１５′の羽根１３ａ′、１４ａ′および１５ａ′と、羽根１３ｂ′、１４ｂ′および１５ｂ′の傾きを発生させる原因となる。このようなバリア羽根１３′−１５′の羽根１３ａ′、１４ａ′および１５ａ′と、羽根１３ｂ′、１４ｂ′および１５ｂ′における傾きは、特に合わせバリア羽根となる羽根１３ａ′と１３ｂ′においては、端部における位置ずれが大きくなり、合わせバリア羽根の対応する羽根１３ｂ′と１３ａ′の根元部との段差が大きくなるおそれがある。また、羽根１３ａ′と１３ｂ′の先端部が合わせバリア羽根の対応する羽根１３ｂ′と１３ａ′の基部の下側にもぐりこんでしまい、作動不良になってしまうおそれもある。これらのような、不安要素を解消するために、作動空間の隙間をいかに少なくするかということが重要である。
図６には、上述した不安要素を解消するための本発明の実施の形態に係る回転軸２１（２１ａおよび２１ｂ）の断面を示している。図６に示すように、バリアカバー１１から突出して、一体的に設けられた回転軸２１（２１ａおよび２１ｂ）は、外径の異なる３段の段差を有する軸としている。
【００２２】
回転軸２１（２１ａおよび２１ｂ）の最大外径の部位には、物体側に配置された各２つの羽根１４および１５、つまり羽根１４ａと１４ｂおよび羽根１５ａと１５ｂ、が作動する回転軸部となっており、回転軸２１（２１ａおよび２１ｂ）の２番目に大きな外径を有する中外径の部位には、合わせバリア羽根である羽根１３ａおよび１３ｂのみが回転する回転軸部となっている。そのため、合わせバリア羽根１３ａおよび１３ｂの回転軸２１（２１ａおよび２１ｂ）に嵌合する孔の径は、他の羽根１４および１５の孔径よりも小さくなっているため、これら合わせバリア羽根１３ａおよび１３ｂは、回転軸２１（２１ａおよび２１ｂ）の最大外径部で作動することはない。さらに、回転軸２１（２１ａおよび２１ｂ）の先端部（バリア基板１２側）には中外径よりも小径の最小外径の部位が形成されており、バリア基板１２には、中外径の部位は挿入できず、最小外径の部位を挿入し得る凹部が形成されており、回転軸２１（２１ａおよび２１ｂ）に最小外径と中外径の径の相違により形成される段差部の平面部がバリア基板１２に当接してバリアカバー１１とバリア基板１２の位置、すなわち相互間距離を決定している。
【００２３】
これらの構成により合わせバリア羽根１３ａおよび１３ｂが作動するための空間は、回転軸２１（２１ａおよび２１ｂ）の中外径部の軸方向の長さ寸法で決定され、その長さ寸法は合わせバリア羽根１３ａおよび１３ｂの作動空間に羽根１枚分の厚さのばらつきを考慮したときに干渉しない長さ寸法とすればよく、合わせバリア羽根１３ａおよび１３ｂの作動空間の隙間を充分に狭くすることができ、合わせバリア羽根１３ａおよび１３ｂの先端の位置ずれを効果的に抑えることができる。
以上詳述したように、合わせバリア羽根１３ａおよび１３ｂの先端の位置ずれを抑えることができ、非撮影時の羽根段差を抑え、さらには羽根のもぐりこみによる作動不良をなくすことができるため、安定した動作のレンズバリア装置とすることが可能となる。
また、上述したレンズバリア装置は、１以上のレンズを有するレンズ系と、そのようなレンズ系を構成する各レンズを支持し且つ収容するレンズ鏡筒との前面側に設けてレンズ鏡胴を構成することにより、動作の安定したレンズバリアを有するレンズ鏡胴を構成するようにしても良い。
さらに、上述したレンズバリア装置またはレンズ鏡胴を備えてデジタルカメラ等の撮像装置を構成するようにしても良い。
【符号の説明】
【００２４】
１１  バリアカバー
１１ａ  開口部
１２  バリア基板
１３−１５（１３ａ−１５ａ，１３ｂ−１５ｂ）  バリア羽根
１３（１３ａ，１３ｂ），１４（１４ａ，１４ｂ），１５（１５ａ，１５ｂ）  羽根
１３（１３ａ，１３ｂ）  合わせバリア羽根
１６（１６ａ，１６ｂ）  閉トーションスプリング
１７（１７ａ，１７ｂ）  開トーションスプリング
１８（１８ａ，１８ｂ）  開閉レバー
１９（１９ａ，１９ｂ）  駆動ピン
２０（２０ａ，２０ｂ）  レバー支持軸
２１（２１ａ，２１ｂ）  回転軸
２２ａ，２２ｂ  支持軸
【先行技術文献】
【特許文献】
【００２５】
【特許文献１】特開２００７−１０２０８６号公報
【特許文献２】特開２０１１−１５８７３５号公報
【特許文献３】特開２０１２−４２６８３号公報
【図１】
2014016566.tif 000003
【図２】
2014016566.tif 000004
【図３】
2014016566.tif 000005
【図４】
2014016566.tif 000006
【図５】
2014016566.tif 000007
【図６】
2014016566.tif 000008
【図７】
2014016566.tif 000009